(57)【要約】【課題】  解像度や画像品質の低下を防止し、表示特性の向上を達成できる表示装置、カラーフィルタ、及び電子機器を提供する。【解決手段】  複数のドットを単位画素内に備えた表示装置１であって、出射される光Ａの波長特性において第１〜第３のピーク波長を各々有する、第１〜第３のドットと、前記波長特性において、前記第１のピーク波長と前記第２のピーク波長の間に位置すると共に、前記第１のピーク波長よりも前記第２のピーク波長に近い第４のピーク波長を有する、第４のドットと、を具備し、前記第４のドットは、前記第２のドットに隣接せず、前記第１のドット又は前記第３のドットに隣接して配置されていることを特徴とする。【選択図】  図２
2005309305.tif 000002
【特許請求の範囲】
【請求項１】
複数のドットを単位画素内に備えた表示装置であって、
出射される光の波長特性において第１〜第３のピーク波長を各々有する、第１〜第３のドットと、
前記波長特性において、前記第１のピーク波長と前記第２のピーク波長の間に位置すると共に、前記第１のピーク波長よりも前記第２のピーク波長に近い第４のピーク波長を有する、第４のドットと、
を具備し、
前記第４のドットは、前記第２のドットに隣接せず、前記第１のドット又は前記第３のドットに隣接して配置されていることを特徴とする表示装置。
【請求項２】
前記第１のドット及び前記第２のドットのうち、一方の表示色は青色、他方の表示色は緑色であり、前記第３のドットの表示色は赤色であり、前記第４のドットの表示色はシアン色であることを特徴とする請求項１に記載の表示装置。
【請求項３】
前記第１のドット及び前記第２のドットのうち、一方の表示色は緑色、他方の表示色は赤色であり、前記第３のドットの表示色は青色であり、前記第４のドットの表示色はイエロー色であることを特徴とする請求項１に記載の表示装置。
【請求項４】
前記第１〜第４のドットは、発光素子を有することを特徴とする請求項１から請求項３のいずれかに記載の表示装置。
【請求項５】
前記第１〜第４のドットは、
波長選択特性において第１〜第４のピーク波長を各々有する、前記第１〜第４の波長選択素子と、
当該波長選択素子を透過する光量を制御する透光量制御部と、
を有することを特徴とする請求項１から請求項３のいずれかに記載の表示装置。
【請求項６】
前記波長選択素子に対して、白色光を照射する照明部を備えることを特徴とする請求項５に記載の表示装置。
【請求項７】
前記波長選択素子に対して、外光の反射光を照射する反射部を備えることを特徴とする請求項５に記載の表示装置。
【請求項８】
複数のドットを単位画素内に備えたカラーフィルタであって、
波長選択特性において第１〜第３のピーク波長を各々有する、第１〜第３のドットと、
前記波長選択特性において、前記第１のピーク波長と前記第２のピーク波長の間に位置すると共に、前記第１のピーク波長よりも前記第２のピーク波長に近い第４のピーク波長を有する、第４のドットと、
を具備し、
前記第４のドットは、前記第２のドットに隣接せず、前記第１のドット又は前記第３のドットに隣接して配置されていることを特徴とするカラーフィルタ。
【請求項９】
前記第１〜第４のドットは、白色光が透過することによって各々異なる表示色を示し、
前記第１及び前記第２のドットに対応する、一方の表示色は青色、他方の表示色は緑色であり、前記第３のドットに対応する表示色は赤色であり、前記第４のドットに対応する表示色はシアン色であることを特徴とする請求項８に記載のカラーフィルタ。
【請求項１０】
前記第１〜第４のドットは、白色光が透過することによって各々異なる表示色を示し、
前記第１及び前記第２のドットに対応する、一方の表示色は緑色、他方の表示色は赤色であり、前記第３のドットに対応する表示色は青色であり、前記第４のドットに対応する表示色はイエロー色であることを特徴とする請求項８に記載のカラーフィルタ。
【請求項１１】
請求項１から請求項７のいずれかに記載の表示装置を備えることを特徴とする電子機器。
【発明の詳細な説明】
【技術分野】
【０００１】
本発明は、表示装置、カラーフィルタ、及び電子機器に関する。
【背景技術】
【０００２】
従来、表示装置においては、各種の表示形態が提案されており、例えば、ＣＲＴ（Cathode Ray Tube）ディスプレイ、ＬＣＤ（Liquid Crystal Display）、有機エレクトロルミネッセンス装置（以下、有機ＥＬ装置と称する。）、プラズマディスプレイ等、が知られている。このような表示装置は、いずれもＲ（赤色）／Ｇ（緑色）／Ｂ（青色）の３色ドットを単位画素内に備えた構成となっており、当該３色ドットの光量を各々異ならせることで、多様な色を実現し、画像表示を行っている。
【０００３】
ところで、自然界には、Ｒ／Ｇ／Ｂの３色だけでは表示できない色の波長領域が存在しており、自然光に近い色を実現することが困難であった。
そこで、近年では、より自然光に近い色の実現が可能となる表示装置が提案されている（例えば、特許文献１参照。）。当該文献においては、Ｒ／Ｇ／Ｂの３色ドットと、Ｃ（シアン色）を更に備えた画素構成を採用している。当該Ｃは、色度図上のＲ／Ｇ／Ｂの各点を結んで形成される三角形領域の外に規定された色であるため、これによって広範囲の波長域の表示色を実現できるようになっている。また、当該文献においては、Ｃの他に、Ｙ（イエロー色）、Ｍ（マゼンタ色）を採用した記載がなされている。
【特許文献１】特開２００１−３０６０２３号公報
【発明の開示】
【発明が解決しようとする課題】
【０００４】
上記特許文献に記載された技術においては、広範囲の波長域の表示色が実現可能となっているが、当該技術は十分な解像度や画像品質が得られないことが本発明者により確認された。即ち、上記の技術を用いることで、色の表現力は向上するものの、表示品位が必ずしも向上するとは言えなかった。
本発明は、係る問題点を解決し、解像度や画像品質の低下を防止し、表示特性の向上を達成できる表示装置、カラーフィルタ、及び電子機器を提供することを目的とする。
【課題を解決するための手段】
【０００５】
本発明者は、単位画素内に４色ドットを有する表示装置において、互いに波長特性が近似している２つのドットを隣接配置すると、当該波長特性が異なる２つのドットが見かけ上同一のドットとして認識されてしまい、人間の視感度として表示画像の解像度が低下してしまうことを見出した。更に、当該ドット構成を有する単位画素をストライプ配置にすると、同一色ドットの隣接方向においてスジが生じてしまい、画像品質が低下することを見出した。
そこで、本発明者は、上記に基づいて以下の手段を有する本発明を想到した。
【０００６】
即ち、本発明の表示装置は、複数のドットを単位画素内に備えた表示装置であって、出射される光の波長特性において第１〜第３のピーク波長を各々有する、第１〜第３のドットと、前記波長特性において、前記第１のピーク波長と前記第２のピーク波長の間に位置すると共に、前記第１のピーク波長よりも前記第２のピーク波長に近い第４のピーク波長を有する、第４のドットと、を具備し、前記第４のドットは、前記第２のドットに隣接せず、前記第１のドット又は前記第３のドットに隣接して配置されていることを特徴としている。
【０００７】
このように、波長特性においてピーク波長が互いに近い第２のドット及び第４のドットを隣接させずに、第１のドット又は第３のドットに第４のドットを隣接させるので、第２及び第４のドットが隣接することにより生じる解像度の低下を防止できる。また、ストライプ配置の画素構成において、第２及び第４のドットが隣接することにより生じるスジを抑制し、画像品質を向上できる。
【０００８】
また、先に記載した特許文献において、解像度や画像品質が低下するのは、人間の視感度を考慮せずに、第１〜第４のドットを配置したことに起因している。これに対して、本発明は、互いにピーク波長が近いドット、即ち、概ね同色を示すドットを離間し、その間に他のドットを配置しているので、人間の視感度として解像度や画像品質が向上した画像を表示することができる。
更に、第１〜第３のドットに加えて第４のドットを具備すると共に、第１〜第４のドットが上記のように好適に配置されているので、非常に広い色再現範囲を実現し、より自然光に近い広範囲の波長域の表示色で画像を表示することができるだけでなく、当該画像の解像度や画像品質を向上させて表示することができる。
【０００９】
また、前記表示装置においては、前記第１のドット及び前記第２のドットのうち、一方の表示色は青色、他方の表示色は緑色であり、前記第３のドットの表示色は赤色であり、前記第４のドットの表示色はシアン色であることを特徴としている。
従って、波長特性においてＣのピーク波長が、Ｇのピーク波長よりもＢのピーク波長に近い場合には、ドットの配列は、Ｃを示すドットとＢを示すドットを隣接させずに、当該Ｃを示すドットをＧ又はＲを示すドットに隣接させた構造となる。
また、波長特性においてＣのピーク波長が、Ｂのピーク波長よりもＧのピーク波長に近い場合には、ドットの配列は、Ｃを示すドットとＧを示すドットを隣接させずに、当該Ｃを示すドットをＢ又はＲを示すドットに隣接させた構造となる。
【００１０】
このようにすれば、Ｃを示すドットとピーク波長が近いドットが、互いに隣接することにより生じる解像度の低下を防止できる。また、ストライプ配置の画素構成において、従来問題となっていたスジを抑制し、画像品質を向上できる。更に、ＲＧＢＣの４色を示すドットを備え、Ｃを示すドットに隣接する他のドットが上記のように好適に配置されているので、非常に広い色再現範囲を実現し、より自然光に近い広範囲の波長域の表示色で画像を表示することができるだけでなく、当該画像の解像度や画像品質を向上させて表示することができる。
【００１１】
また、ｘｙ色度特性において、ＢとＧの座標を結ぶ線分よりも左側もしくは左上側の領域は、ＧとＲの座標を結ぶ線分よりも右上側の領域や、ＲとＢの座標を結ぶ線分よりも右下側の領域よりも、その領域が大きいために、より自然光に近い色を表現するための余地が大きい領域である。そこで、ＢとＧの座標を結ぶ線分よりも左側もしくは左上側の領域に位置する色座標ドット、即ち、Ｃのドットを単位画素内に備えることで、上記、余地が大きい領域における色再現範囲を大きくすることができる。従って、自然光に近い広範囲の波長域の表示色を実現できる。
更に、Ｃを含む４色ドットを単位画素内に備える表示装置は、Ｙのドット等、他の色ドットを単位画素内に備える表示装置と比較して、ｘｙ色度特性における表示可能領域を広範囲にすることができる。
【００１２】
また、前記表示装置においては、前記第１のドット及び前記第２のドットのうち、一方の表示色は緑色、他方の表示色は赤色であり、前記第３のドットの表示色は青色であり、前記第４のドットの表示色はイエロー色であることを特徴としている。
従って、波長特性においてＹのピーク波長が、Ｇのピーク波長よりもＲのピーク波長に近い場合には、ドットの配列は、Ｙを示すドットとＲを示すドットを隣接させずに、当該Ｙを示すドットをＧ又はＢを示すドットに隣接させた構造となる。
また、波長特性においてＹのピーク波長が、Ｒのピーク波長よりもＧのピーク波長に近い場合には、ドットの配列は、Ｙを示すドットとＧを示すドットを隣接させずに、当該Ｙを示すドットをＲ又はＢを示すドットに隣接させた構造となる。
【００１３】
このようにすれば、Ｙを示すドットとピーク波長が近いドットが、互いに隣接することにより生じる解像度の低下を防止できる。また、ストライプ配置の画素構成において、従来問題となっていたスジを抑制し、画像品質を向上できる。更に、ＲＧＢＹの４色を示すドットを備え、Ｙを示すドットに隣接する他のドットが上記のように好適に配置されているので、非常に広い色再現範囲を実現し、より自然光に近い広範囲の波長域の表示色で画像を表示することができるだけでなく、当該画像の解像度や画像品質を向上させて表示することができる。
【００１４】
また、前記表示装置においては、前記第１〜第４のドットは、発光素子を有することを特徴としている。
ここで、発光素子とは、自らが発光することによって表示色を示す素子を意味する。
当該発光素子の例としては、有機ＥＬ装置における発光素子や、ＬＥＤ表示装置における固体発光素子や、プラズマ表示装置におけるプラズマ素子、ＣＲＴディスプレイにおけるＣＲＴ素子、電界放出ディスプレイ（Field Emission Display）における電界放出素子、等が挙げられる。そして、このような発光素子は、第１〜第４のピーク波長の波長特性で発光するので、非常に広い色再現範囲を実現し、より自然光に近い広範囲の波長域の表示色を自発光で表示することができる。更に、第１〜第４のドット、即ち第１〜第４の発光素子が上記のように好適に配置されているので、解像度や画像品質を向上させて表示することができる。
【００１５】
また、前記表示装置においては、前記第１〜第４のドットは、波長選択特性において前記第１〜第４のピーク波長を各々有する、第１〜第４の波長選択素子と、当該波長選択素子を透過する光量を制御する透光量制御部とを有することを特徴としている。
ここで、波長選択素子とは、当該波長選択素子に白色光が照射されることにより、当該白色光に含まれる所定の波長域の光を透過させるものである。そして、第１〜第４の波長選択素子とは、白色光に含まれる第１〜第４のピーク波長を有する波長域の光を各々透過させるものである。当該波長選択素子の例としては、カラーフィルタを構成する各着色層が挙げられる。また、透光量制御部とは、入射する光の光量を制御して、所定の透光量で透過させるものである。当該透光量制御部の例としては、液晶層や偏光層が挙げられる。そして、このような波長選択素子は、第１〜第４のピーク波長の波長選択特性で光を透過させ、また、透光量制御部が当該光の透光量を制御するので、非常に広い色再現範囲を実現し、より自然光に近い広範囲の波長域の表示色を透過光で表示することができる。更に、第１〜第４のドット、即ち第１〜第４の波長選択素子が上記のように好適に配置されているので、解像度や画像品質を向上させて表示することができる。
【００１６】
また、前記表示装置においては、前記波長選択素子に対して、白色光を照射する照明部を備えることを特徴としている。
ここで、照明部とは、白色光で波長選択素子を照射するものである。当該照明部の例としては、白色ＬＥＤや蛍光管等からなるバックライトが挙げられる。そして、このような照明部が、白色光で波長選択素子を照射し、当該波長選択素子が第１〜第４のピーク波長の波長選択特性で光を透過させ、透光量制御部が当該光の透光量を制御するので、非常に広い色再現範囲を実現し、より自然光に近い広範囲の波長域の表示色を透過光で表示することができる。更に、第１〜第４のドット、即ち第１〜第４の波長選択素子が上記のように好適に配置されているので、解像度や画像品質を向上させて表示することができる。
【００１７】
また、前記表示装置においては、前記波長選択素子に対して、外光の反射光を照射する反射部を備えることを特徴としている。
ここで、反射部とは、表示装置の外部から入射する光を表示装置の内部で反射させて、当該反射光を波長選択素子に照射するものである。当該反射部の例としては、光反射性が高い金属膜等が挙げられる。そして、このような反射部が、外光を反射させて、当該反射光を波長選択素子に照射し、外光に含まれる第１〜第４のピーク波長の波長選択特性で波長選択素子が光を透過させ、透光量制御部が当該光の透光量を制御するので、非常に広い色再現範囲を実現し、より自然光に近い広範囲の波長域の表示色を反射光で表示することができる。更に、第１〜第４のドット、即ち第１〜第４の波長選択素子が上記のように好適に配置されているので、解像度や画像品質を向上させて表示することができる。
【００１８】
また、本発明のカラーフィルタは、複数のドットを単位画素内に備えたカラーフィルタであって、波長選択特性において第１〜第３のピーク波長を各々有する、第１〜第３のドットと、前記波長選択特性において、前記第１のピーク波長と前記第２のピーク波長の間に位置すると共に、前記第１のピーク波長よりも前記第２のピーク波長に近い第４のピーク波長を有する、第４のドットとを具備し、前記第４のドットは、前記第２のドットに隣接せず、前記第１のドット又は前記第３のドットに隣接して配置されていることを特徴としている。
【００１９】
このように、波長選択特性においてピーク波長が互いに近い第２のドット及び第４のドットを隣接させずに、第１のドット又は第３のドットに第４のドットを隣接させるので、カラーフィルタに白色光を照射させた場合において、第２及び第４のドットが隣接することにより生じる解像度の低下を防止できる。また、ストライプ配置の画素構成において、第２及び第４のドットが隣接することにより生じるスジを抑制し、画像品質を向上できる。
【００２０】
また、先に記載した特許文献において、解像度や画像品質が低下するのは、人間の視感度を考慮せずに、第１〜第４のドットを配置したことに起因している。これに対して、本発明は、互いにピーク波長が近いドット、即ち、概ね同色を示すドットを離間し、その間に他のドットを配置しているので、人間の視感度として解像度や画像品質が向上した画像を表示することができる。
更に、第１〜第３のドットに加えて第４のドットを具備すると共に、第１〜第４のドットが上記のように好適に配置されているので、非常に広い色再現範囲を実現し、非常に広い色再現範囲を実現し、より自然光に近い広範囲の波長域の表示色で画像を表示することができるだけでなく、当該画像の解像度や画像品質を向上させて表示することができる。
【００２１】
また、前記カラーフィルタにおいては、前記第１〜第４のドットは、白色光が透過することによって各々異なる表示色を示し、前記第１及び前記第２のドットに対応する、一方の表示色は青色、他方の表示色は緑色であり、前記第３のドットに対応する表示色は赤色であり、前記第４のドットに対応する表示色はシアン色であることを特徴としている。
従って、波長選択特性においてＣのピーク波長が、Ｇのピーク波長よりもＢのピーク波長に近い場合には、ドットの配列は、Ｃを示すドットとＢを示すドットを隣接させずに、当該Ｃを示すドットをＧ又はＲを示すドットに隣接させた構造となる。
また、波長選択特性においてＣのピーク波長が、Ｂのピーク波長よりもＧのピーク波長に近い場合には、ドットの配列は、Ｃを示すドットとＧを示すドットを隣接させずに、当該Ｃを示すドットをＢ又はＲを示すドットに隣接させた構造となる。
【００２２】
このようにすれば、カラーフィルタに白色光を照射させた場合において、Ｃを示すドットとピーク波長が近いドットが、互いに隣接することにより生じる解像度の低下を防止できる。また、ストライプ配置の画素構成において、従来問題となっていたスジを抑制し、画像品質を向上できる。更に、ＲＧＢＣの４色を示すドットを備え、Ｃを示すドットに隣接する他のドットが上記のように好適に配置されているので、非常に広い色再現範囲を実現し、より自然光に近い広範囲の波長域の表示色で画像を表示することができるだけでなく、当該画像の解像度や画像品質を向上させて表示することができる。
【００２３】
また、ｘｙ色度特性において、ＢとＧの座標を結ぶ線分よりも左側もしくは左上側の領域は、ＧとＲの座標を結ぶ線分よりも右上側の領域や、ＲとＢの座標を結ぶ線分よりも右下側の領域よりも、その領域が大きいために、より自然光に近い色を表現するための余地が大きい領域である。そこで、ＢとＧの座標を結ぶ線分よりも左側もしくは左上側の領域に位置する色座標ドット、即ち、Ｃのドットを単位画素内に備えることで、上記、余地が大きい領域における色再現範囲を大きくすることができる。従って、自然光に近い広範囲の波長域の表示色を実現できる。
更に、Ｃを含む４色ドットを単位画素内に備えるカラーフィルタは、Ｙのドット等、他の色ドットを単位画素内に備えるカラーフィルタと比較して、ｘｙ色度特性における表示可能領域を広範囲にすることができる。
【００２４】
また、前記カラーフィルタにおいては、前記第１〜第４のドットは、白色光が透過することによって各々異なる表示色を示し、前記第１及び前記第２のドットに対応する、一方の表示色は緑色、他方の表示色は赤色であり、前記第３のドットに対応する表示色は青色であり、前記第４のドットに対応する表示色はイエロー色であることを特徴としている。
従って、波長選択特性においてＹのピーク波長が、Ｇのピーク波長よりもＲのピーク波長に近い場合には、ドットの配列は、Ｙを示すドットとＲを示すドットを隣接させずに、当該Ｙを示すドットをＧ又はＢを示すドットに隣接させた構造となる。
また、波長選択特性においてＹのピーク波長が、Ｒのピーク波長よりもＧのピーク波長に近い場合には、ドットの配列は、Ｙを示すドットとＧを示すドットを隣接させずに、当該Ｙを示すドットをＲ又はＢを示すドットに隣接させた構造となる。
【００２５】
このようにすれば、カラーフィルタに白色光を照射させた場合において、Ｙを示すドットとピーク波長が近いドットが、互いに隣接することにより生じる解像度の低下を防止できる。また、ストライプ配置の画素構成において、従来問題となっていたスジを抑制し、画像品質を向上できる。更に、ＲＧＢＹの４色を示すドットを備え、Ｙを示すドットに隣接する他のドットが上記のように好適に配置されているので、非常に広い色再現範囲を実現し、より自然光に近い広範囲の波長域の表示色で画像を表示することができるだけでなく、当該画像の解像度や画像品質を向上させて表示することができる。
【００２６】
また、本発明の電子機器は、先に記載の表示装置を備えることを特徴としている。
このような電子機器としては、例えば、携帯電話機、移動体情報端末、時計、ワープロ、パソコン等の情報処理装置等を例示することができる。また、大型の表示画面を有するテレビや、大型モニタ等を例示することができる。このように電子機器の表示部に、本発明の表示装置を採用することによって、非常に広い色再現範囲を実現し、より自然光に近い広範囲の波長域の表示色で画像を表示することができるだけでなく、当該画像の解像度や画像品質を向上させて表示することができる電子機器を提供することが可能となる。
【発明を実施するための最良の形態】
【００２７】
以下、図面を参照しながら本発明の実施形態について説明する。
なお、以下の全ての図面においては、各層や各部材を図面上で認識可能な程度の大きさとするため、各層や各部材毎に縮尺を異ならせてある。
【００２８】
（第１実施形態）
以下、図１〜図５を参照し、本発明の第１実施形態について説明する。
本実施形態では、薄膜トランジスタ（Thin Film Transistor, 以下、ＴＦＴと略記する）をスイッチング素子として用いたアクティブマトリクス方式の透過型液晶表示装置の例を挙げて説明する。
図１は本実施形態の液晶表示装置の各構成要素を対向基板の側から見た平面図であり、図２は液晶表示装置の断面構成を説明するための斜視図であり、図３は液晶表示装置におけるカラーフィルタの平面配置図であり、図４はカラーフィルタの波長選択特性を示す図であり、図５は液晶表示装置のカラーフィルタのｘｙ色度特性を説明するための図である。
【００２９】
図１に示すように、本実施形態の液晶表示装置（表示装置）１は、ＴＦＴアレイ基板１０Ａと対向基板１０Ｂとがシール材５２によって貼り合わされ、このシール材５２によって区画された領域内に液晶層１１が封入されている。シール材５２の形成領域の内側領域には、遮光性材料からなる遮光膜（周辺見切り）５３が形成されている。シール材５２の外側の周辺回路領域には、データ線駆動回路２０１および外部回路実装端子２０２がＴＦＴアレイ基板１０Ａの一辺に沿って形成されており、この一辺に隣接する２辺に沿って走査線駆動回路１０４が形成されている。ＴＦＴアレイ基板１０Ａの残る一辺には、表示領域の両側に設けられた走査線駆動回路１０４の間を接続するための複数の配線１０５が設けられている。また、対向基板１０Ｂの角部においては、ＴＦＴアレイ基板１０Ａと対向基板２０との間で電気的導通をとるための基板間導通材１０６が配設されている。
【００３０】
また、図２に示すように、ＴＦＴアレイ基板１０Ａの内側には画素電極１５が形成され、対向基板１０Ｂの内側には共通電極１６が形成されている。更に、対向基板１０Ｂと共通電極１６の間には、カラーフィルタ１２が形成されている。
また、ＴＦＴアレイ基板１０Ａと対向基板１０Ｂの外側には、バックライトユニット１３と、上下偏光板１４Ａ、１４Ｂとが形成されている。
なお、本実施形態において、「内側」とは、液晶層１１が形成されている側を意味し、「外側」とは、液晶層１１が配置されていない側を意味している。
【００３１】
ここで、各構成要素について説明する。
ＴＦＴアレイ基板１０Ａ及び対向基板１０Ｂは、ガラス・プラスチック等の透明基板によって構成されている。
また、画素電極１５及び共通電極１６は、ＩＴＯ（インジウムスズ酸化物）等の透明導電体によって形成されている。更に、画素電極１５は、ＴＦＴアレイ基板１０Ａに設けられたＴＦＴ（Thin film Transistor）に接続されており、当該ＴＦＴのスイッチング駆動に応じて、共通電極１６と画素電極１５の間の液晶層１１に電圧を付与するようになっている。
液晶層１１は、共通電極１６と画素電極１５によって付与された電圧値に応じて配列が変化する液晶分子を有している。本実施形態においては、液晶モードとしてＴＦＴアレイ基板１０Ａと対向基板１０Ｂ間で９０度ねじれているＴＮモードを採用している。
また、上下偏光板１４Ａ、１４Ｂは、相互の透過軸が直交するように配置されている。
このような液晶層１１及び上下偏光板１４Ａ、１４Ｂにおいては、液晶層１１に付与される電圧値に応じて液晶分子の配列が変化することで、液晶層１１及び上下偏光板１４Ａ、１４Ｂを透過する光量が変わるようになっている。従って、液晶層１１は、本発明の透光量制御部として機能するものであり、バックライトユニット１３側から入射する光の光量を制御して、観察者側に所定の透光量で透過させるものである。
バックライトユニット１３は、本発明の照明部として機能するものであり、光源と導光板によって構成されている。このような構成においては、光源から発光した光を導光板内部に均一に広げて、符号Ａに示す方向に光源光を出射するようになっている。光源は、蛍光管や白色ＬＥＤ等からなるものである。導光板は、アクリル等の樹脂からなるものである。
このような構成を有する液晶表示装置１は、バックライトユニット１３の発光を符号Ａに向けて出射し、対向基板１０Ｂ側から取り出す透過型液晶表示装置である。従って、バックライトユニット１３の光源光を利用して液晶表示を行うようになっている。
【００３２】
次に、カラーフィルタ１２の構成について説明する。
図３は、４つのドットによって１つの画素が構成されたカラーフィルタ１２を示しており、ＲＧＢの３色ドットに加えて、Ｃを備えた４色ドットからなる画素構成を示している。また、カラーフィルタ１２の平面配置図は、図３（ａ）に示すように左からＲ／Ｇ／Ｂ／Ｃの各色ドットを備えた構成となっている。なお、本実施形態においては、図３（ｂ）に示すような配置、即ち、左からＢ／Ｇ／Ｒ／Ｃの各色ドットを備えた構成を採用してもよい。このようなドット構成を有するカラーフィルタ１２は、図１に示す液晶表示装置１の表示領域の全面に配置されているものとする。
【００３３】
また、Ｒ／Ｇ／Ｂ／Ｃの各ドットは、バックライトユニット１３の白色光が照射されることによって、当該白色光に含まれる所定の波長域、換言すれば所定色、の光を観察者側に透過させるものである。従って、Ｒ／Ｇ／Ｂ／Ｃの各ドットは、カラーフィルタ１２を構成する各着色層であって、本発明の波長選択素子として機能するものである。
【００３４】
図４は、カラーフィルタ１２の波長選択特性を示しており、Ｂ、Ｃ、Ｇ、Ｒのピーク波長は、各々４５０ｎｍ、５１０ｎｍ、５５０ｎｍ、６２０ｎｍ以上を示している。
そして、本実施形態においては、Ｂ又はＧのうち、Ｃのピーク波長（第４のピーク波長）に近いピーク波長（第２のピーク波長）を有しているドット（第２のドット）をＣのドット（第４のドット）に隣接させないドット配列を採用している。
更に、Ｂ又はＧのうち、Ｃのピーク波長に遠いピーク波長（第１のピーク波長）を有しているドットや、更に遠いピーク波長（第３のピーク波長）を有しているドット（第３のドット）をＣのドットに隣接させたドット配列を採用している。
【００３５】
具体的には、図４の波長選択特性を参照するように、Ｂ、Ｃのピーク波長の差が６０ｎｍ（５１０ｎｍ−４５０ｎｍ）であり、Ｇ、Ｃのピーク波長の差が４０ｎｍ（５５０ｎｍ−５１０ｎｍ）であるため、Ｃのピーク波長（第４のピーク波長）がＧのピーク波長（第２のピーク波長）に近くなっている。また、Ｃのピーク波長がＢのピーク波長（第１のピーク波長）に遠くなっている。
従って、Ｃのドット（第４のドット）に対して、Ｇのドット（第２のドット）を隣接させず、Ｂのドット（第１のドット）又はＲのドット（第３のドット）を隣接させたドット配列を採用する。従って、図３（ａ）に示すように左からＲ／Ｇ／Ｂ／Ｃの順に配列された画素構造や、図３（ｂ）に示すように左からＢ／Ｇ／Ｒ／Ｃの順に配列された画素構造が採用される。
【００３６】
次に、図５を参照して、４色ドット（４ＣＦ）からなる画素構成を備えた液晶表示装置１と、ＲＧＢの３色ドット（３ＣＦ）からなる画素構成を備えた液晶表示装置を比較したｘｙ色度特性を示して説明する。３色ドットの画素構成ではｘｙ色度特性の三角形領域の色を実現することが可能となっているが、４色ドットの画素構成ではｘｙ色度特性の四角形領域の色を実現することが可能となっている。従って、４色ドットの画素構成における本実施形態の液晶表示装置１が広色域を実現することが可能となっている。また、液晶表示装置１は、ＮＴＳＣ比１１５％を達成することが可能となる。
【００３７】
上述したように、本実施形態においては、波長選択特性においてピーク波長が互いに近いＧのドットとＣのドットを隣接させずに、Ｂのドット又はＲのドットにＣのドットを隣接させた構成を有しているので、見かけ上の解像度低下やスジ状のラインを防止でき、画像品質を向上でき、広色域の画像表示が可能となる液晶表示装置を実現することができる。
ここで、ＣとＧを隣接させた構成と比較して説明する。図４に示したように、ＣとＧは非常に近い色相を有しているため、当該２つのドットを隣接させると液晶表示装置の見かけ上の解像度が低下し、ストライプ配列の画素構成においてスジ状のラインが見えることがある。このように解像度や画像品質が低下するのは、人間の視感度を考慮せずに、４色のドットを配置したことに起因している。
これに対し、本実施形態の液晶表示装置１は、互いにピーク波長が近いドット、即ち、概ね同色を示すＣとＧのドットを離間し、その間に他のドット（Ｒ、Ｂ）を配置しているので、人間の視感度として解像度や画像品質が向上した画像を表示することができる。従って、このような見かけ上の解像度低下やスジ状のラインを防止でき、画像品質を向上でき、広色域の画像表示が可能となる液晶表示装置を実現することができる。
また、上記のようにＲＧＢのドットに加えてＣのドットを具備すると共に、Ｃの配列を上記のように規定しているので、非常に広い色再現範囲を実現し、より自然光に近い広範囲の波長域の表示色で画像を表示することができるだけでなく、当該画像の解像度や画像品質を向上させて表示することができる。
【００３８】
また、ｘｙ色度特性において、ＢとＧの座標を結ぶ線分よりも左側もしくは左上側の領域は、ＧとＲの座標を結ぶ線分よりも右上側の領域や、ＲとＢの座標を結ぶ線分よりも右下側の領域よりも、その領域が大きいために、より自然光に近い色を表現するための余地が大きい領域である。そこで、ＢとＧの座標を結ぶ線分よりも左側もしくは左上側の領域に位置する色座標ドット、即ち、Ｃのドットを単位画素内に備えることで、上記、余地が大きい領域における色再現範囲を大きくすることができる。従って、自然光に近い広範囲の波長域の表示色を実現できる。
更に、Ｃを含む４色ドットを単位画素内に備える液晶表示装置１は、Ｙのドット等、他の色ドットを単位画素内に備える液晶表示装置と比較して、ｘｙ色度特性における表示可能領域を広範囲にすることができる。
【００３９】
また、液晶表示装置１は、ＲＧＢＣの各ドットと、当該各ドットを透過する光量を制御する液晶層１１とを備えている。これにより、ＲＧＢＣの各ドットは、ＲＧＢＣの各色の波長選択特性で光を透過させ、また、液晶層１１が当該光の透光量を制御するので、非常に広い色再現範囲を実現し、より自然光に近い広範囲の波長域の表示色を透過光で表示することができる。更に、ＲＧＢＣの各ドットが上記のように好適に規定配置されているので、解像度や画像品質を向上させて表示することができる。
【００４０】
また、液晶表示装置１は、ＲＧＢＣの各ドットに対して、白色光を照射するバックライトユニット１３を備えている。これにより、当該バックライトユニット１３が、白色光でＲＧＢＣの各ドットを照射し、当該ＲＧＢＣの各ドットがＲＧＢＣの各色の波長選択特性で光を透過させ、液晶層１１が当該光の透光量を制御するので、非常に広い色再現範囲を実現し、より自然光に近い広範囲の波長域の表示色を透過光で表示することができる。更に、ＲＧＢＣの各ドットが上記のように好適に規定配置されているので、解像度や画像品質を向上させて表示することができる。
【００４１】
なお、本実施形態においては、ＣとＧを隣接させずに、Ｒ又はＢにＣを隣接させたドット配列を採用しているが、これを限定するものではない。例えば、波長選択特性において、Ｃのピーク波長（第４のピーク波長）がＧのピーク波長（第１のピーク波長）よりもＢのピーク波長（第２のピーク波長）に近い場合には、Ｃのドット（第４のドット）とＢのドット（第２のドット）を隣接させずに、Ｇのドット（第１のドット）又はＲのドット（第３のドット）をＣのドットに隣接させる構成を採用してもよい。このようにすれば、ピーク波長が近いＢとＣを示す表示素子が隣接することにより生じる解像度の低下を防止できる。また、ストライプ配置の画素構成において、ＢとＣを示す表示素子が隣接することにより生じるスジを抑制し、画像品質を向上できる。
【００４２】
（第１実施形態の変形例）
次に、第１実施形態の変形例について説明する。
なお、第１実施形態と同一構成には同一符号を付して説明を簡略化する。
先に記載した第１実施形態においては、透過型の液晶表示装置について述べたが、本変形例においては、反射型の液晶表示装置に、上記のように規定されたドット配列を有するカラーフィルタ１２を採用した場合について説明する。
この場合、液晶表示装置１は、外光を反射させて、当該反射光をＲＧＢＣの各ドットに照射する反射部を備えた構成を有している。反射部の具体例を説明すると、バックライトユニット１３の代わりに、金属板や金属反射膜が成膜された基板等を設けた構成が採用される。
【００４３】
このような反射型の液晶表示装置においては、反射部が外光を反射させて、当該反射光をＲＧＢＣの各ドットに照射し、ＲＧＢＣの各色の波長選択特性で反射光が透過する。更に、液晶層１１が当該反射光の透光量を制御する。
上述したように、本変形例においては、非常に広い色再現範囲を実現し、より自然光に近い広範囲の波長域の表示色を反射光で表示することができる。更に、ＲＧＢＣの各ドットが上記のように好適に規定配置されているので、解像度や画像品質を向上させて表示することができる。
【００４４】
なお、上記においては、反射型の液晶表示装置について説明したが、反射部を備えた半透過反射型の液晶表示装置においても適用可能である。当該半透過反射型の液晶表示装置においては、バックライトユニット１３を備えると共に、当該バックライトユニット１３の外部に上記反射部を設けた構成が採用される。
また、半透過反射型の液晶表示装置の別形態として、ＲＧＢＣの各ドットに透過表示領域と反射表示領域を有するマルチギャップ構造を採用することもできる。このようなマルチギャップ構造においては、反射表示領域のみに樹脂散乱膜や金属反射膜からなる反射部を設けた構成が採用される。また、透過表示領域においては、バックライトユニット１３の照明光を利用した表示がなされる。
【００４５】
このような半透過反射型の液晶表示装置においては、反射部が外光を反射する場合と、バックライトユニット１３が照明する場合とによって、ＲＧＢＣの各ドットを照射し、ＲＧＢＣの各色の波長選択特性で反射光や照明光が透過する。更に、液晶層１１が当該光の透光量を制御する。
上述したように、本変形例においては、非常に広い色再現範囲を実現し、より自然光に近い広範囲の波長域の表示色を反射光で表示することができる。更に、ＲＧＢＣの各ドットが上記のように好適に規定配置されているので、解像度や画像品質を向上させて表示することができる。
【００４６】
（第１実施形態の別の変形例）
次に、第１実施形態の別の変形例について説明する。
なお、第１実施形態と同一構成には同一符号を付して説明を簡略化する。
先の第１実施形態においては、ＲＧＢの３色にＣを加えた４色ドット配列を有するカラーフィルタ１２について説明したが、以下では、Ｃに代えてＹを採用した場合について説明する。
【００４７】
即ち、カラーフィルタ１２は、ＲＧＢの３色ドットの他に、Ｙのドット（第４のドット、波長選択素子）を単位画素内に備えている。
ここで、波長選択特性において、Ｙのピーク波長（第４のピーク波長）が、Ｇのピーク波長（第１のピーク波長）よりもＲのピーク波長（第２のピーク波長）に近い場合には、４色ドットの配列は、Ｙのドット（第４のドット）とＲのドット（第２のドット）を隣接させずに、ＹのドットをＧのドット（第１のドット）又はＢのドット（第３のドット）に隣接させた構造が採用される。即ち、Ｇ／Ｒ／Ｂ／Ｙ又は、Ｂ／Ｒ／Ｇ／Ｙの順に配列された画素構造が採用される。
また、波長選択特性において、Ｙのピーク波長（第４のピーク波長）が、Ｒのピーク波長（第１のピーク波長）よりもＧのピーク波長（第２のピーク波長）に近い場合には、４色ドットの配列は、Ｙのドット（第４のドット）とＧのドット（第２のドット）を隣接させずに、ＹのドットをＲのドット（第１のドット）又はＢのドット（第３のドット）に隣接させた構造が採用される。即ち、Ｒ／Ｇ／Ｂ／Ｙ又は、Ｂ／Ｇ／Ｒ／Ｙの順に配列された画素構造が採用される。
【００４８】
このようにすれば、カラーフィルタ１２にバックライトユニット１３の照明光が照射されると、Ｙを示すドットとピーク波長が近いドットが、互いに隣接することにより生じる解像度の低下を防止できる。また、ストライプ配置の画素構成において、従来問題となっていたスジを抑制し、画像品質を向上できる。更に、ＲＧＢＹの４色を示すドットを備え、Ｙを示すドットに隣接する他のドットが上記のように好適に配置されているので、非常に広い色再現範囲を実現し、より自然光に近い広範囲の波長域の表示色で画像を表示することができるだけでなく、当該画像の解像度や画像品質を向上させて表示することができる。
【００４９】
（第２実施形態）
以下、図６〜図１０を参照し、本発明の第２実施形態について説明する。
本実施形態では、ＴＦＴをスイッチング素子として用いたアクティブマトリクス方式の有機ＥＬ装置の例を挙げて説明する。特にＲＧＢＣの４種類の高分子有機発光層を備えたカラー有機ＥＬ表示装置である。
【００５０】
図６は本実施形態の有機ＥＬ装置の平面構造を示す図であり、図７は有機ＥＬ装置の画素構造を示す断面拡大図であり、図８は有機ＥＬ装置における有機ＥＬ層の平面配置図であり、図９は有機ＥＬ装置の発光波長特性を示す図であり、図１０は有機ＥＬ装置の発光光のｘｙ色度特性を説明するための図である。
【００５１】
図６に示すように、本実施形態の有機ＥＬ装置（表示装置）２００は、電気絶縁性を備える基板２１０と、スイッチング用ＴＦＴ（後述）に接続された画素電極が基板２１０上にマトリックス状に配置されてなる画素電極域と、少なくとも画素電極域上に位置する平面視ほぼ矩形の画素部２０３（図中一点鎖線枠内）とを具備して構成されている。また、画素部２０３は、中央部分の実表示領域２０４（図中二点鎖線枠内）と、実表示領域２０４の周囲に配置されたダミー領域２０５（一点鎖線および二点鎖線の間の領域）とに区画されている。
【００５２】
実表示領域２０４には、それぞれ画素電極を有する表示領域Ｒ、Ｃ、Ｇ、ＢがＡ−Ｂ方向及びＣ−Ｄ方向に離間して配置されている。また、実表示領域２０４の図中両側には、走査線駆動回路２８０が配置されている。該走査線駆動回路２８０は、ダミー領域２０５の下側に位置して設けられている。さらに、実表示領域２０４の図中上側には、検査回路２９０が配置されている。該検査回路２９０は、ダミー領域２０５の下側に位置して設けられている。検査回路２９０は、有機ＥＬ装置２００の作動状況を検査するための回路であって、例えば、検査結果を外部に出力する不図示の検査情報出力手段を備え、製造途中や出荷時の表示装置の品質、欠陥の検査を行うことができるように構成されている。
【００５３】
走査線駆動回路２８０及び検査回路２９０の駆動電圧は、所定の電源部から駆動電圧導通部を介して印加されている。また、これら走査線駆動回路２８０及び検査回路２９０への駆動制御信号及び駆動電圧は、この有機ＥＬ装置２００の作動制御を司る所定のメインドライバなどから駆動制御信号導通部等を介して送信および印加されるようになっている。なお、この場合の駆動制御信号とは、走査線駆動回路２８０及び検査回路２９０が信号を出力する際の制御に関連するメインドライバなどからの指令信号である。
【００５４】
次に、図７を用いて有機ＥＬ装置２００の画素構造について説明する。
図７は、上記有機ＥＬ装置２００における表示領域の断面構造を拡大した図である。
この図７にはＲ／Ｃ／Ｇ／Ｂの各色に対応する４つの画素領域の断面構造が示されている。有機ＥＬ装置２００は、基板２１０上に、ＴＦＴなどの回路等が形成された回路素子部２１４、画素電極２１１、機能層２１０が形成された発光素子部３１１、及び陰極２１２が順次積層されて構成されている。
この有機ＥＬ装置２００では、機能層２１０から基板２１０側に発した光が、回路素子部２１４及び基板２１０を透過して基板２１０の下側（観測者側）に出射されるとともに、機能層２１０から基板２１０の反対側に発した光が陰極２１２により反射されて、回路素子部２１４及び基板２１０を透過して基板２１０の下側（観測者側）に出射されるようになっている。
【００５５】
回路素子部２１４には、基板２１０上にシリコン酸化膜からなる下地保護膜と、各画素電極２１１に接続された駆動用ＴＦＴ２２３と、層間絶縁膜２４４ａ、２４４ｂが形成されている。
発光素子部３１１は、複数の画素電極２１１…上の各々に積層された機能層２１０と、機能層２１０同士の間に配されて各機能層２１０を区画するバンク部２１２とを主体として構成されている。機能層２１０上には陰極２１２が配置されている。
【００５６】
発光素子部３１１において、バンク部２１２は基板２１０側に位置する無機物バンク層２１２ａと基板２１０から離れて位置する有機物バンク層２１２ｂとが積層されて構成されている。
また、機能層２１０は、画素電極２１１上に積層された正孔注入／輸送層２１０ａと、正孔注入／輸送層２１０ａ上に隣接して形成された有機ＥＬ層２１０ｂとから構成されている。
正孔注入／輸送層２１０ａは、正孔を有機ＥＬ層２１０ｂに注入する機能を有するとともに、正孔を正孔注入／輸送層２１０ａ内部において輸送する機能を有する。このような正孔注入／輸送層２１０ａを画素電極２１１と有機ＥＬ層２１０ｂの間に設けることにより、有機ＥＬ層２１０ｂの発光効率、寿命等の素子特性が向上する。また、有機ＥＬ層２１０ｂでは、正孔注入／輸送層２１０ａから注入された正孔と、陰極２１２から注入される電子が有機ＥＬ層で再結合し、発光が得られる。
【００５７】
陰極２１２は、発光素子部３１１の全面に形成されており、画素電極２１１と対になって機能層２１０に電流を流す役割を果たす。この陰極２１２は、本例ではフッ化リチウム層２１２ａ、カルシウム層２１２ｂ、及びアルミニウム層２１２ｃが順次積層されて構成されている。
【００５８】
有機ＥＬ層２１０ｂは、赤色（Ｒ）に発光する赤色有機ＥＬ層２１０ｂ１、シアン色（Ｃ）に発光するシアン色有機ＥＬ層２１０ｂ２、緑色（Ｇ）に発光する緑色有機ＥＬ層２１０ｂ３、及び青色（Ｂ）に発光する青色有機ＥＬ層２１０ｂ４、の発光波長帯域が互いに異なる４種類からなり、各有機ＥＬ層２１０ｂ１〜２１０ｂ４が所定の配列（例えばストライプ状）で配置されている。
また、有機ＥＬ層２１０ｂ１〜２１０ｂ４は、溶媒と有機ＥＬ用高分子材料を混合して作製した組成物インクを、インクジェット法によって塗布することにより形成されたものである。また、このような有機ＥＬ層２１０ｂ１〜２１０ｂ４は、本発明の発光素子として機能するものである。
【００５９】
従って、有機ＥＬ層２１０ｂの平面配置図は、図８（ａ）に示すように左からＲ／Ｃ／Ｇ／Ｂの各色ドットを備えた構成となっている。なお、本実施形態においては、図３（ｂ）に示すような配置、即ち、左からＢ／Ｇ／Ｒ／Ｃの各色ドットを備えた構成を採用してもよい。また、このようなドット構成を有する有機ＥＬ層２１０ｂは、図６に示す有機ＥＬ装置２００の実表示領域２０４の全面に配置されているものとする。
【００６０】
図９は、有機ＥＬ装置の発光波長特性を示しており、Ｂ、Ｃ、Ｇ、Ｒのピーク波長は、各々４７０ｎｍ、５００ｎｍ、５５０ｎｍ、６４０ｎｍ以上を示している。
そして、本実施形態においては、Ｂ又はＧのうち、Ｃのピーク波長（第４のピーク波長）に近いピーク波長（第２のピーク波長）を有しているドット（第２のドット）をＣのドット（第４のドット）に隣接させないドット配列を採用している。
更に、Ｂ又はＧのうち、Ｃのピーク波長に遠いピーク波長（第１のピーク波長）を有しているドットや、更に遠いピーク波長（第３のピーク波長）を有しているドット（第３のドット）をＣのドットに隣接させたドット配列を採用している。
【００６１】
具体的には、図９の波長選択特性を参照するように、Ｂ、Ｃのピーク波長の差が３０ｎｍ（５００ｎｍ−４７０ｎｍ）であり、Ｇ、Ｃのピーク波長の差が５０ｎｍ（５５０ｎｍ−５００ｎｍ）であるため、Ｃのピーク波長（第４のピーク波長）がＢのピーク波長（第２のピーク波長）に近くなっている。また、Ｃのピーク波長がＧのピーク波長（第１のピーク波長）に遠くなっている。
従って、Ｃのドット（第４のドット）に対して、Ｂのドット（第２のドット）を隣接させず、Ｇのドット（第１のドット）又はＲのドット（第３のドット）を隣接させたドット配列を採用する。従って、図７又は図８（ａ）に示すように左からＲ／Ｃ／Ｇ／Ｂの順に配列された画素構造や、図８（ｂ）に示すように左からＧ／Ｃ／Ｒ／Ｂの順に配列された画素構造が採用される。
【００６２】
次に、図１０を参照して、４色ドットの画素構成を備えた有機ＥＬ装置２００（４色発光タイプ）と、ＲＧＢの３色ドットの画素構成を備えた有機ＥＬ装置（３色発光タイプ）の発光特性を比較したｘｙ色度特性について説明する。３色ドットの画素構成ではｘｙ色度特性の三角形領域の色を実現することが可能となっているが、４色ドットの画素構成ではｘｙ色度特性の四角形領域の色を実現することが可能となっている。従って、４色ドットの画素構成における本実施形態の有機ＥＬ装置２００が広色域を実現することが可能となっている。また、有機ＥＬ装置２００は、ＮＴＳＣ比１２０％を達成することが可能となる。
【００６３】
上述したように、本実施形態においては、発光波長特性においてピーク波長が互いに近いＢのドットとＣのドットを隣接させずに、Ｇのドット又はＲのドットにＣのドットを隣接させた構成を有しているので、見かけ上の解像度低下やスジ状のラインを防止でき、画像品質を向上でき、広色域の画像表示が可能となる有機ＥＬ装置を実現することができる。
ここで、ＣとＢを隣接させた構成と比較して説明する。図９に示したように、ＣとＢは非常に近い色相を有しているため、当該２つのドットを隣接させると有機ＥＬ装置の見かけ上の解像度が低下し、ストライプ配列の画素構成においてスジ状のラインが見えることがある。このように解像度や画像品質が低下するのは、人間の視感度を考慮せずに、４色のドットを配置したことに起因している。
これに対し、本実施形態の有機ＥＬ装置２００は、互いにピーク波長が近いドット、即ち、概ね同色を示すＣとＢのドットを離間し、その間に他のドット（Ｒ、Ｇ）を配置しているので、人間の視感度として解像度や画像品質が向上した画像を表示することができる。従って、このような見かけ上の解像度低下やスジ状のラインを防止でき、画像品質を向上でき、広色域の画像表示が可能となる液晶表示装置を実現することができる。
また、上記のようにＲＧＢのドットに加えてＣのドットを具備すると共に、Ｃの配列を上記のように規定しているので、非常に広い色再現範囲を実現し、より自然光に近い広範囲の波長域の表示色で画像を表示することができるだけでなく、当該画像の解像度や画像品質を向上させて表示することができる。
【００６４】
また、ｘｙ色度特性において、ＢとＧの座標を結ぶ線分よりも左側もしくは左上側の領域は、ＧとＲの座標を結ぶ線分よりも右上側の領域や、ＲとＢの座標を結ぶ線分よりも右下側の領域よりも、その領域が大きいために、より自然光に近い色を表現するための余地が大きい領域である。そこで、ＢとＧの座標を結ぶ線分よりも左側もしくは左上側の領域に位置する色座標ドット、即ち、Ｃのドットを単位画素内に備えることで、上記、余地が大きい領域における色再現範囲を大きくすることができる。従って、自然光に近い広範囲の波長域の表示色を実現できる。
更に、Ｃを含む４色ドットを単位画素内に備える有機ＥＬ装置２００は、Ｙのドット等、他の色ドットを単位画素内に備える有機ＥＬ装置と比較して、ｘｙ色度特性における表示可能領域を広範囲にすることができる。
【００６５】
なお、本実施形態においては、ＣとＢを隣接させずに、Ｒ又はＧにＣを隣接させたドット配列を採用しているが、これを限定するものではない。例えば、発光波長特性において、Ｃのピーク波長（第４のピーク波長）がＢのピーク波長（第１のピーク波長）よりもＧのピーク波長（第２のピーク波長）に近い場合には、Ｃのドット（第４のドット）とＧのドット（第２のドット）を隣接させずに、Ｂのドット（第１のドット）又はＲのドット（第３のドット）をＣに隣接させる構成を採用してもよい。このようにすれば、ピーク波長が近いＧとＣを示す表示素子が隣接することにより生じる解像度の低下を防止できる。また、ストライプ配置の画素構成において、ＢとＣを示す表示素子が隣接することにより生じるスジを抑制し、画像品質を向上できる。
【００６６】
また、本実施形態においては、ＲＧＢの３色にＣを加えた４色ドットの画素構成を採用しているが、上記第１実施形態の別の変形例に示したようにＣに代えてＹを採用してもよい。この場合においても、発光波長特性において、Ｙのピーク波長に近いピーク波長を有するドットと当該Ｙのドットを隣接させずに、Ｙのピーク波長に遠いピーク波長を有するドットと当該Ｙのドットを隣接させて配置することで、先に記載した同様の効果が得られる。
【００６７】
また、本実施形態では高分子有機発光層を備えた有機ＥＬ装置２００について述べたが、低分子有機発光層を備えた有機ＥＬ装置２００においても本発明が適用可能である。また、有機ＥＬ装置に限らず、ＬＥＤ表示装置や、プラズマディスプレイ、電界放出ディスプレイ、ＣＲＴディスプレイ、ＤＭＤ（Digital Micro mirror Device）等、単位画素内に複数の着色ドットを備えた表示装置に本発明を適用することによって、同様の効果が得られる。
【００６８】
なお、上記の第１及び第２実施形態においては、４色ドットを備えた表示装置（液晶表示装置１、有機ＥＬ装置２００）について説明したが、当該４色ドットに更に別の波長領域のドットを加えた５色ドットや、６色ドットを構成してもよい。この場合には、ＲＧＢを含む４色ドットにおける配列を上記実施形態のように規定することで、上記同様の効果が得られる。
【００６９】
（電子機器）
図１１（ａ）〜（ｃ）は、本発明の電子機器の実施形態を示している。
本例の電子機器は、上述した液晶表示装置や有機ＥＬ装置を表示手段として備えている。
図１１（ａ）は、携帯電話の一例を示した斜視図である。図１１（ａ）において、符号１０００は携帯電話本体を示し、符号１００１は前記の表示装置を用いた表示部を示している。
図１１（ｂ）は、腕時計型電子機器の一例を示した斜視図である。図１１（ｂ）において、符号１１００は時計本体を示し、符号１１０１は前記の表示装置を用いた表示部を示している。
図１１（ｃ）は、ワープロ、パソコンなどの携帯型情報処理装置の一例を示した斜視図である。図１１（ｃ）において、符号１２００は情報処理装置、符号１２０２はキーボードなどの入力部、符号１２０４は情報処理装置本体、符号１２０６は前記の表示装置を用いた表示部を示している。
図１１（ａ）〜（ｃ）に示すそれぞれの電子機器は、表示部に本発明の表示装置を備えているので、非常に広い色再現範囲を実現し、より自然光に近い広範囲の波長域の表示色で画像を表示することができるだけでなく、当該画像の解像度や画像品質を向上させて表示することが可能な電子機器を実現できる。
【００７０】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００７１】
【図１】本発明の第１実施形態の液晶表示装置における各構成要素を示す平面図。
【図２】本発明の第１実施形態の液晶表示装置における断面構成を示す斜視図。
【図３】本発明の第１実施形態の液晶表示装置におけるカラーフィルタの平面配置図。
【図４】図３におけるカラーフィルタの波長選択特性を示す図。
【図５】本発明の第１実施形態の液晶表示装置におけるｘｙ色度特性を示す図。
【図６】本発明の第２実施形態の有機ＥＬ装置における各構成要素を示す平面図。
【図７】本発明の第２実施形態の有機ＥＬ装置における画素構造を示す断面拡大図。
【図８】本発明の第２実施形態の有機ＥＬ装置における有機ＥＬ層の平面配置図。
【図９】本発明の第２実施形態の有機ＥＬ装置の発光波長特性を示す図。
【図１０】本発明の第２実施形態の有機ＥＬ装置の発光光のｘｙ色度特性を示す図。
【図１１】本発明の表示装置を備える電子機器を示す図。
【符号の説明】
【００７２】
１  液晶表示装置（表示装置）、１１  液晶層（透光量制御部）、１２  カラーフィルタ、１３  バックライトユニット（照明部）、２００  有機ＥＬ装置（表示装置）、２１０ｂ  有機ＥＬ層（発光素子）、Ｒ、Ｇ、Ｂ  第１のドット（波長選択素子）、Ｒ、Ｇ、Ｂ  第２のドット（波長選択素子）、Ｒ、Ｇ、Ｂ  第３のドット（波長選択素子）、Ｃ  シアン色（第４のドット、波長選択素子）、Ｙ  イエロー色（第４のドット、波長選択素子）
【図１】
2005309305.tif 000003
【図２】
2005309305.tif 000004
【図３】
2005309305.tif 000005
【図４】
2005309305.tif 000006
【図５】
2005309305.tif 000007
【図６】
2005309305.tif 000008
【図７】
2005309305.tif 000009
【図８】
2005309305.tif 000010
【図９】
2005309305.tif 000011
【図１０】
2005309305.tif 000012
【図１１】
2005309305.tif 000013